(57)【要約】【課題】パネルの取付けが容易で、パネルの取付け強度も大きい外壁パネルの取付け金具を提供する。【解決手段】自重受け金具（１５）は、水平部（１５ａ）と、水平部（１５ａ）と直交し、水平部（１５ａ）から順に連結する第１平坦部（１５ｃ）、第２平坦部（１５ｄ）および第３平坦部（１５ｅ）を有する垂直部とが一体に形成される。第２平坦部（１５ｄ）は、使用状態で第１平坦部（１５ｃ）および第３平坦部（１５ｅ）よりも水平部（１５ａ）の下側に突出する。第３平坦部（１５ｅ）には、幅方向に長い貫通孔（１５ｂ）が開けられ、支持金具が該貫通孔（１５ｂ）内で摺動可能となっている。【選択図】  図１
2004300794.tif 000002
【特許請求の範囲】
【請求項１】
水平部と、該水平部に対して直交し、該水平部から順に連結する第１平坦部、第２平坦部および第３平坦部を有する垂直部とが一体に形成され、第２平坦部は、使用状態で第１平坦部および第３平坦部よりも水平部の下側に突出し、第３平坦部には、幅方向に長い貫通孔が開けられている自重受け金具。
【請求項２】
自重受け金具と、支持金具とから構成される外壁パネルの取付け金具であり、前記自重受け金具は、水平部と、該水平部に対して直交し、該水平部から順に連結する第１平坦部、第２平坦部および第３平坦部を有する垂直部とが一体に形成され、第２平坦部は、使用状態で第１平坦部および第３平坦部よりも水平部の下側に突出し、第３平坦部には、幅方向に長い貫通孔が開けられ、前記支持金具は、貫通孔と、該貫通孔の周囲から突出し、自重受け金具の貫通孔内で摺動可能な外形で、自重受け金具の厚さ以上の高さの突起とを有することを特徴とする外壁パネルの取付け金具。
【請求項３】
パネルと、自重受け金具と、支持金具と、イナズマ金具とを使用する外壁パネルの取付け構造であり、前記自重受け金具は、水平部と、該水平部に対して直交し、該水平部から順に連結する第１平坦部、第２平坦部および第３平坦部を有する垂直部とが一体に形成され、第２平坦部は、使用状態で第１平坦部および第３平坦部よりも水平部の下側に突出し、水平部は、上段の外壁パネルの下端小口面の中央を担持し、第１平坦部は、建築物の躯体に取り付けられ、第２平坦部は、外壁パネルの主面に当接し、第３平坦部には、前記支持金具の突出部が、幅方向に移動可能となるように、幅方向に長い貫通孔が開けられ、前記支持金具は、貫通孔と、該貫通孔の周囲から突出し、自重受け金具の厚さ以上の高さの突起とを有し、自重受け金具は、パネルに固定された支持金具と相対的に幅方向に摺動可能となるようにパネル上端部に取り付けられ、前記イナズマ金具は、断面イナズマ状に連結する２つの平坦部が一体に形成され、イナズマ金具の一方の上側平坦部がパネルの下端部に、他方の下側平坦部が建築物の躯体に取り付けられることを特徴とする外壁パネルの取付け構造。
【請求項４】
イナヅマ金具の上側平坦部に垂直方向に長い貫通孔を設け、該イナヅマ金具が、パネルとパネルに固定されたボルトと相対的に垂直方向に摺動可能となるようにパネル下端部に取り付けられていることを特徴とする外壁パネルの取り付け構造。
【発明の詳細な説明】
【０００１】
【発明の属する技術分野】
本発明は、軽量気泡コンクリートパネルを建築物の躯体に取り付けて構成する縦壁に、スライド機構を付与可能な外壁パネル用自重受け金具、取付け金具および構造に関する。
【０００２】
【従来の技術】
軽量気泡コンクリートパネルなどの外壁パネル（１）を建築物の躯体（２）に取り付けて構成する縦壁にスライド機構を付与するには、様々な構造がある。たとえば、耐震性構造の一種として、軽量気泡コンクリートパネル（１）が、下端小口面中心を支点として、壁面に沿って取り付けられることにより、スライド構造を構成する発明が開示されている（特開平８−３１２０４１号公報）。図５は、この従来の縦壁パネルの構造を示す斜視図である。
【０００３】
かかる構造では、断面Ｌ字状の自重受け金具（５）が、パネル（１）の幅方向略中央に対応する位置に配置される、自重受け金具（５）は、上段パネル（図示略）の下端部に幅方向から埋設された棒状のアンカー（７ｂ）にＯボルト（６）で取り付けられる。自重受け金具（５）は、Ｏボルト（６）を係止する溝（５ａ）を有する平坦な垂直面（５ｂ）を有し、該垂直面（５ｂ）を上段パネルに接する。自重受け金具（６）は、図示されない挟持部分により躯体（２）の上面に固着された定規アングル（３）に固定される。自重受け金具の垂直面と水平面の交差部において幅方向に長孔（５ｃ）が設けられている。一方、前記自重受け金具（５）と中心線を同一とし、かつ、幅が前記長孔（５ｃ）より短い短冊プレート（４）が、下段パネル（１）の上端部に幅方向から埋設された棒状のアンカー（７ａ）にＯボルト（６）で取り付けられ、その垂直面は上段パネル（１）に接し、かつ、前記長孔（５ｃ）に挿通され、その裏面で定規アングルに固定される。
【０００４】
このような外壁パネルの取付け構造では、パネル裏面の上下端部中心線上にネジ止めされた短冊プレート（４）や、自重受け金具（５）などの取付け金具が、躯体に固着され、躯体が地震などで振動した場合には、短冊プレート（４）が前記横孔（５ｃ）を幅方向に移動できるため、下端の中央を支点として外壁パネル（１）の上端は、短冊プレート（４）に対して横に摺動可能であり、軽量気泡コンクリートパネルからなる外壁パネル（１）の損傷が防止でき、耐震性に優れる。
【０００５】
また、アンカー（７ａ）、（７ｂ）が、外壁パネル（１）に埋設されているので、外観も優れ、さらに乾式で施工できるので、工期が短くて済むという利点もある。
【０００６】
しかし、この構造では、パネル裏面に当接している短冊プレート（４）の先端部がパネルに食い込んだり、施工時に短冊プレート（４）を自重受け金具（５）と定規アングル（３）との間に挟み込む必要があり、作業時間が長くなるという問題があった。
【０００７】
【特許公報１】
特開平８−３１２０４１号公報
【０００８】
【発明が解決しようとする課題】
本発明は、外壁パネルに埋設されたアンカーにネジ止めされた取付け金具を、建築物の躯体に取り付けて、縦壁を構成する場合に、パネルの取付けが容易で、かつスライド機構およびロッキング機構を付与することで、パネルの取付け強度も大きい外壁パネルの取付け構造およびそれに使用する自重受け金具、取付け金具を提供する。
【０００９】
【課題を解決するための手段】
本発明による自重受け金具は、水平部と、該水平部に対して直交し、該水平部から順に連結する第１平坦部、第２平坦部および第３平坦部を有する垂直部とが一体に形成され、第２平坦部は、使用状態でパネルに当接するように第１平坦部および第３平坦部よりも水平部の側に突出し、第３平坦部には、幅方向に長い貫通孔が開けられている。水平部は、上段のパネルを担持し、第１平坦部は、その裏面で上階の躯体に固着された定規アングルの屋外側に固着され、第２平坦部は、自重受け金具が取り付けられるパネルに当接し、第３平坦部は支持金具を介してパネルと幅方向に摺動可能な状態で当該パネルの上端部に取り付けられる。
【００１０】
また、本発明による外壁パネルの取付け金具は、上記自重受け金具と、支持金具とから構成され、前記支持金具は、貫通孔と、該貫通孔の周囲から突出し、自重受け金具の貫通孔内で摺動可能な外形で、自重受け金具の厚さ以上の高さの突起とを有することを特徴とする。
【００１１】
本発明による外壁パネルの取付け構造は、パネルと、前記自重受け金具と、前記支持金具と、イナズマ金具とを使用し、前記自重受け金具の水平部は、上段の外壁パネルの下端小口面の中央を担持し、第１平坦部は、建築物の躯体に取り付けられ、第２平坦部は、外壁パネルの主面に当接し、該自重受け金具は、パネルに固定された支持金具と相対的に幅方向に摺動可能となるようにパネル上端部に取り付けられ、前記イナズマ金具は、断面イナズマ状に連結する２つの平坦部が一体に形成され、イナズマ金具の一方の上側平坦部がパネルの下端部に、他方の下側平坦部が建築物の躯体に取り付けられることを特徴とする。
【００１２】
イナヅマ金具の上側平坦部に垂直方向に長い貫通孔を設け、該イナヅマ金具が、パネルとパネルに固定されたボルトと相対的に垂直方向に摺動可能となるようにして、パネル下端部に取り付けてもよい。
【００１３】
【発明の実施の形態】
本発明を、図面を参照して説明する。図１は、本発明の自重受け金具の一実施例を示す斜視図であり、図２は、本発明の外壁パネルの取付け構造の一実施例を示す一部破断斜視図である。図３は、図２の縦断面図であり、図４は、図３の一部拡大図である。
【００１４】
本発明の外壁パネルの取付け構造は、自重受け金具（１５）と、支持金具（１１）と、イナズマ金具（８）とを使用する。
【００１５】
図１に示されるように、自重受け金具（１５）は、パネルを載置する水平部（１５ａ）と、水平部（１５ａ）に対して直交し、水平部（１５ａ）から順に連結する第１平坦部（１５ｃ）、第２平坦部（１５ｄ）および第３平坦部（１５ｅ）を有する垂直部とが一体に形成される。第２平坦部（１５ｄ）は、使用状態で第１平坦部（１５ｃ）および第３平坦部（１５ｅ）よりも水平部（１５ａ）の下側に出っ張って位置する。水平部（１５ａ）は、上段の外壁パネル（１）の下端小口面を担持する。第１平坦部（１５ｃ）は、建築物の躯体の梁（２）に固着された定規アングル（３）に固定される。第２平坦部（１５ｄ）は、下段の外壁パネル（１）の上端部裏面に当接する。第３平坦部（１５ｅ）には、後述する支持金具（１１）の突起部（１１ｂ）が、幅方向に移動可能となるように、幅方向に長い貫通孔（１５ｂ）が開けられる。第１平坦部と第３平坦部の関係は、自重受け金具（１５）と定規アングル（３）およびパネル（１）の位置関係や、支持金具（１１）の厚みやその突起部（１１ｂ）の高さにより規定される任意事項であるが、これらが同一平面内にあるように選択されることが好ましい。
【００１６】
図４に示すように、支持金具（１１）は、貫通孔（１１ａ）と、該貫通孔（１１ａ）の周囲から突出し、自重受け金具（１５）の貫通孔（１５ｂ）内で摺動可能な外形で、自重受け金具（１５）の厚さ以上の高さの突起部（１１ｂ）を有する。
【００１７】
支持金具（１１）の突起部（１１ｂ）を自重受け金具（１５）の貫通孔（１５ｂ）にパネルに接する側から挿入する。これにより、支持金具（１１）は、該貫通孔（１５ｂ）を幅方向に摺動可能となる。
【００１８】
図３に示すように、イナズマ金具（８）は、断面イナズマ状に連結する２つの平坦部（８ａ）、（８ｂ）が一体に形成される。一方の上側平坦部（８ａ）には、垂直方向に長い貫通孔（８ｃ）が開けられる。他方の下側平坦部（８ｂ）は、建築物の躯体の梁（２）に固着された定規アングル（３）に固定される。
【００１９】
図２および図３に示すように、パネル（１）の上下端の略中央小口面中心に設けられる垂直方向の孔（１ｂ）に、管状のアンカー（１０）を埋設し、パネル上下端の略中央に設けられたパネル裏面の幅方向の貫通孔（１ａ）を通じて、パネルの上端部に貫通孔（１５ｂ）に支持金具（１１）を受け入れた状態の自重受け金具（１５）を、支持金具（１１）の貫通孔（１１ａ）を通じたボルト（９）で螺着する。これにより、支持金具（１１）は、パネル（１）と自重受け金具（１５）の間に挟持され、自重受け金具（１５）は支持金具（１１）とボルト（９）により挟持される状態となる。また、パネルの下端部にイナズマ金具（８）をボルト（９）で螺着する。
【００２０】
パネルの取付けに際しては、パネルの下端小口面をその下段のパネルの上端部に取り付けられた自重受け金具（１５）の水平部（１５ａ）に担持させ、パネルの下端に取り付けられたイナズマ金具（８）の下側平坦部（８ｂ）を下階の躯体（２）に固着された定規アングル（３）の屋内側に差し込み、パネル（１）とイナズマ金具（８）で定規アングル（３）を挟持させた状態とし、パネルの上端部に取り付けられた自重受け金具（１５）の水平部（１５ａ）が所望水準となるように調整してから、支持金具（１１）のボルト（９）を締着し、自重受け金具（１５）の第１平坦部（１５ｃ）を上階の定規アングル（３）の屋外側に溶接で固着する。次に、パネルのイナヅマ金具（８）のボルト（９）を締着し、下側平坦部（８ｂ）を下階の定規アングル（３）の屋内側に溶接で固着する。
【００２１】
以上のような本発明の外壁パネルの取付け構造により、自重受け金具（１５）の第３平坦部（１５ｅ）に開けられた貫通孔（１５ｂ）内を、支持金具（１１）が幅方向に摺動するので、外壁パネル（１）は上端部のボルト（９）を支点にして、外壁面内で幅方向にスライド可能であり、かつ、自重受け金具（１５）の第１平坦部（１５ｃ）と外壁パネル（１）との間に空隙を設けることができ、自重受け金具（１５）の上側先端部がパネルに食い込むことがなく、外壁パネル（１）の損傷を防ぐことができる。
【００２２】
また、イナズマ金具（８）の一方の平坦部（８ａ）に開けられた貫通孔（８ｃ）があるので、外壁パネル（１）は自重受け金具（１５）の水平部（１５ａ）との接触部分を支点構造とすれば、縦壁と垂直な面でのロッキングが可能となる。
【００２３】
さらに、従来は上段パネルの下端小口面を担持する自重受け金具（５）に下段パネルを支持する短冊プレート（４）ないしはイナズマ金具を挟み込む必要があったのに対して、これらを一体に形成し、パネル下端部に設けられたイナズマ金具（８）を下階の定規アングル（３）にかけた状態で、パネル上端部に設けられた自重受け金具を上階の定規アングルに固着することができ、施工がきわめて容易となり、作業性の効率を上げることができるという効果を得ることができる。
【００２４】
【実施例】
（実施例１）
本発明の実施例について、図１から図４に基づいて説明する。なお、実施例はあくまでも例示のために提示されるものであり、本発明は下記の形状に限定されるわけではない。
【００２５】
自重受け金具（１５）は、幅１１０ｍｍ×高さ１１３ｍｍ×厚さ６ｍｍであり、水平部（１５ａ）と、順に連結する第１平坦部（１５ｃ）、第２平坦部（１５ｄ）および第３平坦部（１５ｅ）を有する垂直部とが一体に形成される。水平部（１５ａ）は第１平坦部（１５ｃ）の両側から伸張する。第１平坦部（１５ｃ）の中央部には上側に３０×４０ｍｍの突出部が設けられる。第２平坦部（１５ｄ）は、使用状態で第１平坦部（１５ｃ）および第３平坦部（１５ｅ）よりも水平部（１５ａ）の下側に突出している。第３平坦部（１５ｅ）には、幅方向に長い貫通孔（１５ｂ）が開けられる。該貫通孔（１５ｂ）は、両端が半円状の貫通孔であり、１２ｍｍ径のボルトが自由に移動可能となるように、その大きさを２６×９０ｍｍとしている。該貫通孔（１５ｂ）および全体形状は、プレス加工により形成した。
【００２６】
支持金具（１１）は、１００ｍｍ×５０ｍｍで、φ１３ｍｍの貫通孔（１１ａ）と、該貫通孔（１１ａ）の周囲から突出し、自重受け金具（１５）の貫通孔（１５ｂ）内で摺動可能な外形で、自重受け金具（１５）の厚さ以上の高さ６．５ｍｍの突起（１１ｂ）とを有する。
【００２７】
イナズマ金具（８）は、幅７０ｍｍ×高さ１００ｍｍ×厚さ３．２ｍｍであり、断面イナズマ状に連結する２つの平坦部（８ａ）、（８ｂ）が一体に形成される。一方の上側平坦部（８ａ）には、９ｍｍ径のボルトが自由に移動可能となるように、垂直方向に長い１５×２０ｍｍで、両端が半円状の貫通孔（８ｃ）を開けた。
【００２８】
外壁パネルの取付け構造について、以下に説明する。まず、建築物の躯体の梁（２）に、所望出幅で定規アングル（３）を幅方向に固着する。外壁パネル（１）には、上下端部の小口面から垂直方向に孔（１ｂ）を開け、それぞれの孔（１ｂ）に主面から達し、さらに多少突き出る貫通孔（１ａ）を開ける。外壁パネル（１）の上端小口面の孔（１ｂ）に、管状で、ボルト孔の開いたアンカー（１０）を埋設し、該ボルト孔に達するように、自重受け金具（１５）の貫通孔（１５ｂ）および支持金具（１１）の貫通孔（１１ａ）を貫通したボルト（９）で、自重受け金具（１５）および支持金具（１１）を仮止めしておく。外壁パネル（１）の下端小口面の孔には、管状で、ボルト孔の開いた同じアンカー（１０）を埋設し、該ボルト孔に達するように、イナズマ金具（８）の貫通孔（８ｃ）を貫通したボルト（９）で、イナズマ金具（８）を仮止めしておく。
【００２９】
外壁パネル（１）は、図示しないクレーンなどで吊り込み、下段小口面をその下段のパネルの自重受け金具（１５）の水平部に担持させ、かつ、仮止めしたイナズマ金具（８）の下側平坦部（８ｂ）により、下階の躯体（２）に固着された定規アングル（３）の垂直面を挟むようにする。
【００３０】
パネル（１）上端に仮止めした自重受け金具（１５）の水平部が所望水準となるように調整してから、該自重受け金具（１５）および支持金具（１１）をボルト（９）で締着する。さらに、自重受け金具（１５）の第１平坦部（１５ｃ）を、上階の躯体（２）に固着された定規アングル（３）の垂直面の屋外側に溶接固着する。
【００３１】
次に、イナズマ金具（８）もボルト（９）で締着し、下側平坦部（８ｂ）を下階の定規アングル（３）の垂直面の屋内側に溶接固着する。
【００３２】
同様な作業を繰り返して、軽量気泡コンクリートからなる外壁パネル（１）を、順次取り付けて、縦横目地には、従来と同様に、バックアップ材（１２）とシーリング材またはコーキング材（１３）を充填して、縦壁を構成する。この状態では、各軽量気泡コンクリートパネルからなる外壁パネル（１）の下端小口面が、その下段のパネルの自重受け金具（１５）に担持されて、下端裏面中央部は、下階の躯体に固着されたイナズマ金具（８）に締着されて固着される。また、各外壁パネル（１）の上端部に締着された支持金具（１１）と自重受け金具（１５）とは、固定されておらず、ボルト（９）により、連通しただけである。従って、地震などで躯体が幅方向に揺動した場合には、外壁パネル（１）はロッキングすることなく、ボルト（９）および支持金具（１１）が、自重受け金具（１５）の貫通孔（１５ｂ）内を摺動するだけとなり、揺動による外壁パネル（１）の損傷を防止することができる。
【００３３】
また、イナズマ金具（８）の上側平坦部（８ａ）に開けられた貫通孔（８ｃ）により、外壁パネル（１）は自重受け金具（１５）の水平部（１５ａ）との接触部分を支点構造とすれば、縦壁と垂直な面でのロッキングが可能となる。
【００３４】
なお、この取付け構造では、タイル（２０）を貼る場合に、壁面にシーラー処理後、接着剤を塗布してから行い、タイル目地には目地材（２１）を充填するが、隣接する外壁パネル（１）において縦目地では５枚毎、横目地は全ての目地部に弾性があるシーリング材（２２）を充填する。
【００３５】
以上のように外壁面を構成すれば、外観と耐震性に優れた縦壁を、比較的容易に施工することができる。
【００３６】
また、本発明の外壁パネルの取付け構造は、実施例に示した軽量気泡コンクリートパネル以外に、押出し成型パネルや、ＰＣパネルなどにも適用することができる。
【００３７】
【発明の効果】
以上、詳細に説明したように、本発明の外壁パネルの取付け金具は、構造が簡単なので、比較的安価に製造することができる。得られる縦壁では、自重受け金具の上端と、外壁パネルとの間に、空隙が形成されるので、外壁パネルに食い込むことがない。また、施工時に、自重受け金具とイナズマ金具とが、外壁パネルに仮止め可能であり、施工が容易となり、溶接が少なくて作業性の効率が上がる。
【００３８】
さらに、外壁パネルは、上端部ではロッキングせず、上端部が同調して同一方向にスライドするので、各外壁パネルの四隅部のタイルには幅方向の応力が作用せず、タイルが剥離したり、外壁パネルが破損することがないという効果を得ることができる。また、取付けも容易である。
【図面の簡単な説明】
【図１】本発明の自重受け金具の一実施例を示す斜視図である。
【図２】本発明の外壁パネルの取付け構造の一実施例を示す一部破断斜視図である。
【図３】図２の縦断面図である。
【図４】図３の一部拡大図である。
【図５】従来の縦壁の構造を示す斜視図である。
【符号の説明】
１  外壁パネル
１ａ  貫通孔
１ｂ  孔
２  梁
３  定規アングル
４  短冊プレート
５  自重受け金具
５ａ  溝
５ｂ  垂直面
６  ボルト
７ａ、７ｂ  アンカー
８  イナズマ金具
８ａ、８ｂ  平坦部
８ｃ  貫通孔
９  ボルト
９ａ、９ｂ  座金
１０  アンカー
１１  支持金具
１１ａ  貫通孔
１１ｂ  突起
１２  バックアップ材
１３  コーキング材
１４  目地材
１５  自重受け金具
１５ａ  水平部
１５ｂ  貫通孔
１５ｃ  第１平坦部
１５ｄ  第２平坦部
１５ｅ  第３平坦部
２０  タイル
２１  目地材
２２  シーリング材
【図１】
2004300794.tif 000003
【図２】
2004300794.tif 000004
【図３】
2004300794.tif 000005
【図４】
2004300794.tif 000006
【図５】
2004300794.tif 000007